(57)【特許請求の範囲】
【請求項１】
超音波送受信面から被検体に超音波を送信し、前記超音波送受信面を介して、前記被検体内において反射された超音波を受信する超音波プローブと、
前記超音波プローブによって受信された超音波を用いて超音波画像を生成する画像生成ユニットと、
前記超音波送受信面の周囲から前記被検体の内部に向けて生体成分の吸収波長帯である光を照射する少なくとも一つの光照射手段と、
前記超音波送受信面の長手方向の両側に沿って配置され、前記少なくとも一つの光照射手段から照射され前記被検体内で拡散反射された特定波長の光の強度を検出する複数の光検出手段と、
前記少なくとも一つの光照射手段と複数の光検出手段とを一体として前記長手方向に沿ってスライドさせ、前記超音波送受信面と、前記少なくとも一つの光照射手段と、前記複数の光検出手段と、の間の位置関係を変更するスライド機構と、
前記超音波送受信面と、前記少なくとも一つの光照射手段と、前記複数の光検出手段と、の間の前記長手方向に関して異なる位置関係毎に検出された、前記光の強度の変化を解析する解析手段と、
を具備し、
前記少なくとも一つの光照射手段と複数の光検出手段とは前記超音波送受信面の長手方向の軸に対して対称に配置されていること、
を特徴とする超音波診断装置。
【請求項２】
超音波送受信面から被検体に超音波を送信し、前記超音波送受信面を介して、前記被検体内において反射された超音波を受信する超音波プローブと、
前記超音波プローブによって受信された超音波を用いて超音波画像を生成する画像生成ユニットと、
前記超音波送受信面の周囲から前記被検体の内部に向けて生体成分の吸収波長帯である光を照射する少なくとも一つの光照射手段と、
前記超音波送受信面の長手方向の両側に沿って配置され、前記少なくとも一つの光照射手段から照射され前記被検体内で拡散反射された特定波長の光の強度を検出する複数の光検出手段と、
前記超音波送受信面及び固定された前記少なくとも一つの光照射手段に対して、前記複数の光検出手段を一体として前記長手方向に沿ってスライドさせ、前記超音波送受信面と、前記少なくとも一つの光照射手段と、前記複数の光検出手段と、の間の位置関係を変更するスライド機構と、
前記超音波送受信面と、前記少なくとも一つの光照射手段と、前記複数の光検出手段と、の間の前記長手方向に関して異なる位置関係毎に検出された、前記光の強度の変化を解析する解析手段と、
を具備し、
前記少なくとも一つの光照射手段と複数の光検出手段とは前記超音波送受信面の長手方向の軸に対して対称に配置されていること、
を特徴とする超音波診断装置。
【請求項３】
超音波送受信面から被検体に超音波を送信し、前記超音波送受信面を介して、前記被検体内において反射された超音波を受信する超音波プローブと、
前記超音波プローブによって受信された超音波を用いて超音波画像を生成する画像生成ユニットと、
前記超音波送受信面の周囲から前記被検体の内部に向けて生体成分の吸収波長帯である光を照射する少なくとも一つの光照射手段と、
前記超音波送受信面の長手方向の両側に沿って配置され、前記少なくとも一つの光照射手段から照射され前記被検体内で拡散反射された特定波長の光の強度を検出する複数の光検出手段と、
少なくとも前記複数の光検出手段を前記長手方向に沿ってスライドさせ、前記超音波送受信面と、前記少なくとも一つの光照射手段と、前記複数の光検出手段と、の間の位置関係を変更するスライド機構と、
前記超音波送受信面と、前記少なくとも一つの光照射手段と、前記複数の光検出手段と、の間の前記長手方向に関して異なる位置関係毎に検出された、前記光の強度の変化を解析する解析手段と、
前記少なくとも一つの光照射手段と複数の光検出手段とを被覆し、前記少なくとも一つの光照射手段のピーク波長成分の光を透過する光フィルタと、
を具備し、
前記スライド機構は、前記光フィルタを介して前記スライドを実行すること、
を特徴とする超音波診断装置。
【請求項４】
前記光フィルタは、前記超音波送受信面を露出させるための窓部を有することを特徴とする請求項３記載の超音波診断装置。
【請求項５】
超音波送受信面から被検体に超音波を送信し、前記超音波送受信面を介して、前記被検体内において反射された超音波を受信する超音波プローブと、
前記超音波プローブによって受信された超音波を用いて超音波画像を生成する画像生成ユニットと、
前記超音波送受信面の周囲から前記被検体の内部に向けて生体成分の吸収波長帯である光を照射する少なくとも一つの光照射手段と、
前記超音波送受信面の長手方向の両側に沿って配置され、前記少なくとも一つの光照射手段から照射され前記被検体内で拡散反射された特定波長の光の強度を検出する複数の光検出手段と、
少なくとも前記複数の光検出手段を前記長手方向に沿ってスライドさせ、前記超音波送受信面と、前記少なくとも一つの光照射手段と、前記複数の光検出手段と、の間の位置関係を変更し、前記長手方向に沿った複数の測定位置において少なくとも前記複数の光検出手段を仮固定する機構を有するスライド機構と、
前記超音波送受信面と、前記少なくとも一つの光照射手段と、前記複数の光検出手段と、の間の前記長手方向に関して異なる位置関係毎に検出された、前記光の強度の変化を解析する解析手段と、
少なくとも前記複数の光検出手段が仮固定された複数の測定位置を検知する検知器と、
を具備することを特徴とする超音波診断装置。
【請求項６】
超音波プローブと共に用いられる生体検査装置であって、
被検体の内部に向けて生体成分の吸収波長帯である光を照射する少なくとも一つの光照射手段と、
前記超音波プローブの超音波送受信面の長手方向の両側に沿って配置され、前記少なくとも一つの光照射手段から照射され前記被検体内で拡散反射された特定波長の光の強度を検出する複数の光検出手段と、
前記少なくとも一つの光照射手段と複数の光検出手段とを一体として前記長手方向に沿ってスライドさせ、前記超音波送受信面と、前記少なくとも一つの光照射手段と、前記複数の光検出手段と、の間の位置関係を変更するスライド機構と、
前記超音波送受信面と、前記少なくとも一つの光照射手段と、前記複数の光検出手段と、の間の前記長手方向に関して異なる位置関係毎に検出された、前記光の強度の変化を解析する解析手段と、
を具備し、
前記少なくとも一つの光照射手段と複数の光検出手段とは前記超音波送受信面の長手方向の軸に対して対称に配置されていること、
を特徴とする生体検査装置。
【請求項７】
超音波プローブと共に用いられる生体検査装置であって、
被検体の内部に向けて生体成分の吸収波長帯である光を照射する少なくとも一つの光照射手段と、
前記超音波プローブの超音波送受信面の長手方向の両側に沿って配置され、前記少なくとも一つの光照射手段から照射され前記被検体内で拡散反射された特定波長の光の強度を検出する複数の光検出手段と、
前記超音波送受信面及び固定された前記少なくとも一つの光照射手段に対して、前記複数の光検出手段を一体として前記長手方向に沿ってスライドさせ、前記超音波送受信面と、前記少なくとも一つの光照射手段と、前記複数の光検出手段と、の間の位置関係を変更するスライド機構と、
前記超音波送受信面と、前記少なくとも一つの光照射手段と、前記複数の光検出手段と、の間の前記長手方向に関して異なる位置関係毎に検出された、前記光の強度の変化を解析する解析手段と、
を具備し、
前記少なくとも一つの光照射手段と複数の光検出手段とは前記超音波送受信面の長手方向の軸に対して対称に配置されていること、
を特徴とする生体検査装置。
【発明の詳細な説明】
【技術分野】
【０００１】
本発明の実施形態は、超音波診断装置及び生体検査装置に関する。
【背景技術】
【０００２】
生体内部を非侵襲に測定する技術にはさまざまな手法がある。その一つである光計測は、被爆の問題がなく、波長を選択することにより計測対象である化合物を選択できるという利点を有している。一般の生体計測装置は光照射部を生体皮膚表面に押し当て経皮で生体内部に照射し、透過または反射してきた光が再び皮膚を透過して生体外に出射したものを計測し、これに基づいて種々の生体情報を計算する。光計測によって生体内部の異常組織の存在を判断する根底に、正常組織との光の吸収係数の違いがある。すなわち、生体内部において異常組織の吸収係数が異なるため、吸収量の差に応じた検出光量の差が生じる。つまり、検出光量から逆問題として解くと異常組織の吸収係数を求めることができ、求めた吸収係数から異常組織の性状を判別できる。また、計測した光により、計測位置、深さを解析する。この解析手法には、光照射部（又は光源）と検出器の距離を調整するという手法（空間分解法）、および強度が時間的に変化する光源を用い、光が到達する時間の違いから深さ情報を得る手法（時間分解法）、さらにはこれらを組み合わせた方法などがある。これらの解析法により、高品質の信号を取得できる生体計測装置が実現する。しかしながら、生体内の光による情報の画像化には空間分解能の低さに問題がある。さらに、反射光の検出結果から正しい位置情報を得るには数多くのデータを複雑なアルゴリズムで演算する必要があり、リアルタイムで判定できるものではない。
【０００３】
生体光計測において、実現可能性が高いとされる応用に、乳がん検査が挙げられる。しかし、上述したように光計測単独では分解能と解析時間に問題があるため、他のモダリティと併用して検査性能を向上させる方式が望ましい。そこで発明者らは、超音波エコーの形態情報を利用して光の低空間分解能を補うという方式を提案した。この方式により、生体組織の中の形態的特徴と、形態的特徴部分の成分分布が従来よりも短時間で判別できることが期待されるものの、即時判定にはまだ改善の余地がある。
【０００４】
乳がんは女性の主な死亡原因のひとつである。乳がんのスクリーニングと早期診断は、死亡率を減少させ、健康管理の費用の抑制において非常に大きな価値を持つ。
【０００５】
現在の方法では乳房の組織の触診と、疑わしい組織変形を探すためのX線撮影を行う。Ｘ線写真に疑わしい箇所があると、超音波撮像を行い、さらに外科的組織検査を行う。これらの一連の検査は最終的な結論に達するまでにかなりの時間を要する。また、閉経前の若年層においては乳腺が多くX線撮影においては感度が得にくいという問題もある。従って、特に若年層においては超音波撮像によるスクリーニングの意義は大きい。
【０００６】
一般に、超音波撮像においては、認定された操作者による超音波静止画像の採取を行い、専門の読影者（複数の場合もある）によって画像上の形態情報から判定が下される。検診においては操作者の疲労と集中力低下による見落としの危険性を鑑み、一人の操作者によるスクリーニングは一日あたり最大でも５０名が限度とされる。
【０００７】
超音波撮像において形態的特徴を捉えた静止画像を採取するには操作者の知識と経験が非常に重要となる。的確かつ迅速なスクリーニングには、習熟度も要求される。例えば被験者一人あたりの検査時間は標準的に５分から１０分であるが、操作者の技能によってはさらに時間がかかる場合もある。すなわち、現在の超音波撮像によるスクリーニングにおいては、操作者の熟練度によって画像採取の的確性がばらつく懸念がある。さらに画像採取に際しては常時画像の注視が必要な上、操作者単独の判断にゆだねられるため、熟練した操作者であってもその精神的負担は大きい。動画ですべての画像情報を採取する方式もあるが、画像認識を用いて機械検索する技術はまだ完成していない。そのため読影者が動画から静止画を探すことになり、この場合は読影者側の負担が大きくなる。
【０００８】
前述の課題を解決するために、光学測定で得られた生体の代謝情報により超音波エコーのプローブの測定位置を面方向で誘導して、技師の負担を軽減するコンパクトな光検査システムで超音波エコーの診断を補完するコンセプトの装置を出願人は提案した。図１８に酸素化ヘモグロビンと脱酸素ヘモグロビンの光吸収スペクトルを示す。一般に悪性腫瘍の部位は健常部位と比較して脱酸素ヘモグロビンの比率が多いとされており、生体光検査では脱酸素ヘモグロビンの吸収を解析することで、対象部位の悪性度を判定する一つの根拠としている。脱酸素ヘモグロビンの光吸収測定に適した光の波長領域としては、７４０ｎｍ〜７９０ｎｍの近赤外線、６５０ｎｍ〜６９０ｎｍの赤色光、酸素化ヘモグロビンの光吸収測定に適した光の波長領域としては、８３０ｎｍ〜９００ｎｍの近赤外線が挙げられる。総ヘモグロビン量を同定する光の波長領域としては、８００ｎｍ〜８２０ｎｍの近赤外線が挙げられる。具体的な光源としてＬＥＤやＬＤ等が挙げられる。水、脂肪、メラニンなど、他の生体成分の吸収波長と生体内分布も考慮して、光源は出力光強度と半値幅を適切に選択する必要がある。
【０００９】
従来から提案されてきた生体計測装置の課題の一つは、光学測定系で誘導された測定対象が超音波エコーのプローブ直下に必ずしも位置しないことであり、これは超音波エコーの圧電体プローブの長手方向の対称軸と光学測定系の対称軸が直交する構成を選択していることに起因する。
【００１０】
この問題を解決するために、発明者らは、光学測定系の対称軸を超音波エコーの圧電体プローブ長手方向の軸と実質的に一致（光学測定系の対称軸を圧電体プローブ長手方向に平行且つ短辺内に収まるように配置）させたプローブの構成を提案した。このような典型的なプローブの構成では、圧電体プローブ短辺脇近接位置に光導入部を配置し、プローブ短辺脇に複数の検出部を対称に配置した。これにより測定対象が圧電体プローブから外れる問題は回避された。
【００１１】
しかしこの構成では測定対象がエコー画像の端に位置するため、プローブを回転させながら検査したいので、対象を中心位置に誘導したいというユーザーニーズに応えることができなかった。この問題を解決するために、発明者らは、複数の光源を、圧電体プローブの中心位置近傍に長辺方向の軸に対称に配置して、対になる検知部を圧電体プローブの短辺方向の軸に対称に複数配置する構成を選択した。この構成により測定対象をエコープローブの中心位置に誘導可能な構成となった。また、発明者らは、プローブを皮膚に圧着することにより光の吸収量が変化する課題を解決する目的で、多光源化の方向で改良した光検出システムについても提案している。
【先行技術文献】
【特許文献】
【００１２】
【特許文献１】特開２０００−２３７１９６号公報
【特許文献２】特開２００５−３３１２９２号公報
【特許文献３】特開２００７−０２０７３５号公報
【特許文献４】特開２００９−０７７９３１号公報
【発明の概要】
【発明が解決しようとする課題】
【００１３】
このプローブ構成は異常部位をプローブの中央直下に誘導するには適しているが、部位の深さやサイズに関しては概略しか推定できず、例えば画像検査で５ｍｍの空間分解能が必要となる場合には一回の測定で得られるデータでは足りないという課題があった。もちろん光入射位置と検出位置を大幅に増やせば対応可能であるが、計算量が巨大になり計算時間が膨大になる上に、チャンネル数が相応に多くなれば検知システムが大規模になり超音波エコーを補完するコンパクトなシステムというニーズを満たすことはできない。
【００１４】
この課題を回避するために、相対位置を適切に変えた配置で複数回測定すれば必要な数のデータを集めれば画像化は可能である。しかし、生体検査において精度良く位置を合わせることは難易度が高い。加えて生体表面上をプローブで走査すると皮膚への圧迫の程度により血液分布が変化して検出光強度を変動させる問題があり、プローブを再現性良く皮膚に接触させることも測定難易度を上げていた。このように検査技士に高度な技量・技能が再び必要となる問題が生じた。
【００１５】
本実施形態は、上記の課題を解決するために、例えば超音波プローブの位置誘導において、生体測定時の相対位置を簡便かつ精度よく測定しつつ、計測データ量を増加することができる超音波診断装置及び生体検査装置を提供することを目的とする。
【課題を解決するための手段】
【００１６】
本実施形態に係る超音波診断装置は、超音波送受信面から被検体に超音波を送信し、前記超音波送受信面を介して、前記被検体内において反射された超音波を受信する超音波プローブと、前記超音波プローブによって受信された超音波を用いて超音波画像を生成する画像生成ユニットと、前記超音波送受信面の周囲から前記被検体の内部に向けて生体成分の吸収波長帯である光を照射する少なくとも一つの光照射手段と、前記超音波送受信面の長手方向の両側に沿って配置され、前記少なくとも一つの光照射手段から照射され前記被検体内で拡散反射された特定波長の光の強度を検出する複数の光検出手段と、前記少なくとも一つの光照射手段と複数の光検出手段とを一体として前記長手方向に沿ってスライドさせ、前記超音波送受信面と、前記少なくとも一つの光照射手段と、前記複数の光検出手段と、の間の位置関係を変更するスライド機構と、前記超音波送受信面と、前記少なくとも一つの光照射手段と、前記複数の光検出手段と、の間の前記長手方向に関して異なる位置関係毎に検出された、前記光の強度の変化を解析する解析手段と、を具備し、前記少なくとも一つの光照射手段と複数の光検出手段とは前記超音波送受信面の長手方向の軸に対して対称に配置されていること、を特徴とする。
【図面の簡単な説明】
【００１７】
【図１】図１は、本実施形態に係る超音波診断装置１のブロック構成図を示している。
【図２】図２は、光プローブ４０、光計測処理ユニット４２からなる生体計測装置４のブロック構成図である。
【図３】図３は、プローブＰを被検体接触面側から見た図であり、超音波プローブ１２の超音波送受信面に対する光照射部４００及び光検出部４０１の配置例、及び光照射部４００及び光検出部４０１を一体としてスライドさせるスライド機構を説明するための図である。
【図４】図４は、超音波プローブ１２と光プローブ４０とを有するプローブＰの側面図である。
【図５】図５（ａ）、（ｂ）は、光測定用ソールを示した図である。
【図６】図６は、生体計測装置４の光学測定系の構成の一例を示した図である。
【図７】図７は、粗検索モードと、微調整モードとのそれぞれに従う光計測を説明するための図である。
【図８】図８は、本実施形態のプローブＰの変形例１を説明するための図である。
【図９】図９は、本実施形態のプローブＰの変形例１を説明するための図である。
【図１０】図１０（ａ）、（ｂ）、（ｃ）は、図８、図９に例示したプローブＰのスライド機構４０３ａによるスライド動作を説明する図である。
【図１１】図１１は、生体検査装置４の光学測定系の変形例２を示した図である。
【図１２】図１２は、生体検査装置４の光学測定系の変形例３を示した図である。
【図１３】図１３は、プローブの位置精度と光強度の誤差測定方法の一例を示す。
【図１４】図１４は、プローブの位置精度と光強度の誤差測定方法の一例を示す。
【図１５】図１５は、プローブの位置精度と光強度の誤差測定方法の一例を示す。
【図１６】図１６は、光照射部４００を固定とし、光検出部４０１だけをスライドさせるスライド機構４０３ａを具備したプローブＰの一例である。
【図１７】図１７は、光照射部４００を固定とし、光検出部４０１だけをスライドさせるスライド機構４０３ａを具備したプローブＰの一例である。
【図１８】図１８に酸素化ヘモグロビンと脱酸素ヘモグロビンの光吸収スペクトルを示す。
【発明を実施するための形態】
【００１８】
以下、実施形態を図面に従って説明する。なお、以下の説明において、略同一の機能及び構成を有する構成要素については、同一符号を付し、重複説明は必要な場合にのみ行う。
【００１９】
図１は、本実施形態に係る超音波診断装置１のブロック構成図を示している。同図に示す超音波診断装置１は、超音波プローブ１２、入力装置１３、モニタ１４、超音波送信ユニット２１、超音波受信ユニット２２、Ｂモード処理ユニット２３、ドプラ処理ユニット２４、ＲＡＷデータメモリ２５、ボリュームデータ生成ユニット２６、画像処理ユニット２８、表示処理ユニット３０、制御プロセッサ（ＣＰＵ）３１、記憶ユニット３２、インターフェースユニット３３を具備している。また、本実施形態に係る超音波診断装置１は、生体計測装置４を実現するための光プローブ４０及び光計測処理ユニット４２と、超音波プローブ１２の配置操作を支援するための支援情報を生成する支援情報生成ユニット４４と、をさらに具備する。
【００２０】
なお、本実施形態においては、図１に示した様に、生体計測装置を内蔵する（生体計測装置と一体構造の）超音波診断装置１を例として説明する。しかしながら、当該例に拘泥されず、生体計測装置と超音波診断装置とを別体構造としてもよい。
【００２１】
超音波プローブ１２は、生体を典型例とする被検体に対して超音波を送信し、当該送信した超音波に基づく被検体からの反射波を受信するデバイス（探触子）であり、その先端に複数に配列された圧電振動子、整合層、バッキング材等を有している。圧電振動子は、超音波送信ユニット２１からの駆動信号に基づきスキャン領域内の所望の方向に超音波を送信し、当該被検体からの反射波を電気信号に変換する。整合層は、当該圧電振動子に設けられ、超音波エネルギーを効率良く伝播させるための中間層である。バッキング材は、当該圧電振動子から後方への超音波の伝播を防止する。当該超音波プローブ１２から被検体に超音波が送信されると、当該送信超音波は、体内組織の音響インピーダンスの不連続面で次々と反射され、エコー信号として超音波プローブ１２に受信される。このエコー信号の振幅は、反射することになった不連続面における音響インピーダンスの差に依存する。また、送信された超音波パルスが、移動している血流で反射された場合のエコーは、ドプラ効果により移動体の超音波送受信方向の速度成分に依存して、周波数偏移を受ける。
【００２２】
なお、本実施形態においては、超音波プローブ１２は、複数の超音波振動子が所定の方向に沿って配列された一次元アレイプローブであるとする。しかしながら、当該例に拘泥されず、超音波プローブ１２は、ボリュームデータを取得可能なものとして、二次元アレイプローブ（複数の超音波振動子が二次元マトリックス状に配列されたプローブ）、又はメカニカル４Ｄプローブ（超音波振動子列をその配列方向と直交する方向に機械的に煽りながら超音波走査を実行可能なプローブ）であってもよい。
【００２３】
入力装置１３は、装置本体１１に接続され、オペレータからの各種指示、条件、関心領域（ＲＯＩ）の設定指示、種々の画質条件設定指示等を装置本体１１にとりこむための各種スイッチ、後述する粗検索モードと微調整モードとを切り替えるスイッチ、ボタン、トラックボール、マウス、キーボード等を有している。また、入力装置１３は、後述する穿刺術支援機能において、穿刺針の針先位置を含む穿刺術情報を取り込むタイミングを指示するためのボタン等を有している。
【００２４】
モニタ１４は、表示処理ユニット３０からのビデオ信号に基づいて、生体内の形態学的情報や、血流情報を画像として表示する。
【００２５】
超音波送信ユニット２１は、図示しないトリガ発生回路、遅延回路およびパルサ回路等を有している。トリガ発生回路では、所定のレート周波数ｆｒ  Ｈｚ（周期；１／ｆｒ秒）で、送信超音波を形成するためのトリガパルスが繰り返し発生される。また、遅延回路では、チャンネル毎に超音波をビーム状に集束し且つ送信指向性を決定するのに必要な遅延時間が、各トリガパルスに与えられる。パルサ回路は、このトリガパルスに基づくタイミングで、プローブ１２に駆動パルスを印加する。
【００２６】
超音波受信ユニット２２は、図示していないアンプ回路、Ａ／Ｄ変換器、遅延回路、加算器等を有している。アンプ回路では、プローブ１２を介して取り込まれたエコー信号をチャンネル毎に増幅する。Ａ／Ｄ変換器では、増幅されたアナログのエコー信号をデジタルエコー信号に変換する。遅延回路では、デジタル変換されたたエコー信号に対し受信指向性を決定し、受信ダイナミックフォーカスを行うのに必要な遅延時間を与え、その後加算器において加算処理を行う。この加算により、エコー信号の受信指向性に応じた方向からの反射成分が強調され、受信指向性と送信指向性とにより超音波送受信の総合的なビームが形成される。
【００２７】
Ｂモード処理ユニット２３は、受信ユニット２２からエコー信号を受け取り、対数増幅、包絡線検波処理などを施し、信号強度が輝度の明るさで表現されるデータを生成する。
【００２８】
ドプラ処理ユニット２４は、受信ユニット２２から受け取ったエコー信号から血流信号を抽出し、血流データを生成する。血流の抽出は、通常ＣＦＭ（Color Flow Mapping）で行われる。この場合、血流信号を解析し、血流データとして平均速度、分散、パワー等の血流情報を多点について求める。
【００２９】
ＲＡＷデータメモリ２５は、Ｂモード処理ユニット２３から受け取った複数のＢモードデータを用いて、三次元的な超音波走査線上のＢモードデータであるＢモードＲＡＷデータを生成する。また、ＲＡＷデータメモリ２５は、ドプラ処理ユニット２４から受け取った複数の血流データを用いて、三次元的な超音波走査線上の血流データである血流ＲＡＷデータを生成する。なお、ノイズ低減や画像の繋がりを良くすることを目的として、ＲＡＷデータメモリ２５の後に三次元的なフィルタを挿入し、空間的なスムージングを行うようにしてもよい。
【００３０】
ボリュームデータ生成ユニット２６は、空間的な位置情報を加味した補間処理を含むＲＡＷ−ボクセル変換を実行することにより、Ｂモードボリュームデータ、血流ボリュームデータを生成する。
【００３１】
画像処理ユニット２８は、ボリュームデータ生成ユニット２６から受け取るボリュームデータに対して、ボリュームレンダリング、多断面変換表示（ＭＰＲ：multi planar reconstruction）、最大値投影表示（ＭＩＰ：maximum intensity projection）等の所定の画像処理を行う。なお、ノイズ低減や画像の繋がりを良くすることを目的として、画像処理ユニット２８の後に二次元的なフィルタを挿入し、空間的なスムージングを行うようにしてもよい。
【００３２】
表示処理ユニット３０は、画像処理ユニット２８において生成・処理された各種画像データに対し、ダイナミックレンジ、輝度（ブライトネス）、コントラスト、γカーブ補正、ＲＧＢ変換等の各種を実行する。
【００３３】
制御プロセッサ３１は、情報処理装置（計算機）としての機能を持ち、各構成要素の動作を制御する。また、制御プロセッサ３１は、後述する超音波プローブ操作支援機能に従う処理を実行する。
【００３４】
記憶ユニット３２は、後述する超音波プローブ操作支援機能を実現するための専用プログラム、撮像されたボリュームデータ、診断情報（患者ＩＤ、医師の所見等）、診断プロトコル、送受信条件、その他のデータ群が保管されている。また、必要に応じて、図示しない画像メモリ中の画像の保管などにも使用される。記憶ユニット３２のデータは、インターフェースユニット３３を経由して外部周辺装置へ転送することも可能となっている。
【００３５】
インターフェースユニット３３は、入力装置１３、ネットワーク、新たな外部記憶装置（図示せず）に関するインターフェースである。また、インターフェースユニット３３を介して、外付けの生体計測装置を本超音波診断装置本体１１に接続することも可能である。当該装置によって得られた超音波画像等のデータや解析結果等は、インターフェースユニット３３よって、ネットワークを介して他の装置に転送可能である。
【００３６】
支援情報生成ユニット４４は、超音波プローブ１２と被検体表面との密着度、被検体内の異常部位の三次元的方位及び距離（接近度）、の少なくとも一方を、スライド機構４０３ａによる移動を伴う各計測位置において取得された異常部位の三次元的位置及び距離に基づいて計算し、その結果に基づいて、被検体及び診断対象部位に対し超音波プローブ１２の位置、向き、姿勢、加圧度等をより好適に誘導するための支援情報を生成し出力することで、超音波プローブ操作を支援する。なお、支援情報生成ユニット４４の具体的な処理については、例えば特開２０１４−１１０８７８号公報等に開示された手法を採用することができる。生成された支援情報は、モニタ１４において所定の形態で表示される。
【００３７】
図２は、光プローブ４０、光計測処理ユニット４２からなる生体計測装置４のブロック構成図である。図３は、プローブＰを被検体接触面側から見た図であり、超音波プローブ１２の超音波送受信面に対する光照射部４００及び光検出部４０１の配置例、及び光照射部４００及び光検出部４０１を一体として超音波プローブ１２の超音波送受信面の長手方向に沿って移動させるスライド機構を説明するための図である。図４は、超音波プローブ１２と光プローブ４０とを有するプローブＰの側面図である。
【００３８】
図２、図３に示す様に、光プローブ４０は、少なくとも二個の光照射部４００（図３の例では超音波プローブ１２の超音波送受信面の中央両脇に配置された二個の第１光照射部４００ａ、第２光照射部４００ｂ）、超音波プローブ１２の超音波送受信面の中央両脇に第１光照射部４００ａ、第２光照射部４００ｂを挟んで配置された複数の光検出部４０１、スライド機構４０３ａ、スライド検出器４０３ｃを有している。複数の光照射部４００及び複数の検出部４０１は、超音波プローブ１２の超音波送受信面の長手方向の中心軸に関して線対称に配置され、超音波送受信面の長手方向に沿って等間隔で配置されている。これは一例に過ぎず、対向する光検出部４０１の距離を考慮して位置間隔を調整する変形例もある。
【００３９】
第１光照射部４００ａ、第２光照射部４００ｂは、第１の光源４２０ａ、第２の光源４２０ｂがそれぞれ発生する光（近赤外光）を被検体に向けて照射する。また、第１光照射部４００ａ、第２光照射部４００ｂには、それぞれ異なる駆動周波数（ｆ１、ｆ２）が供給される。その結果、第１光照射部４００ａ、第２光照射部４００ｂからは、異なる駆動周波数でそれぞれ特定波長の光が照射されることになる。
【００４０】
第１光源４２０ａ、第２光源４２０ｂは、生体内吸収が小さい波長の光（例えば、生体の窓と呼ばれる波長帯近傍である６００ｎｍ〜１８００ｎｍの範囲の光）、異常部位で吸収量が増す特定波長の光（例えば、生体の窓と呼ばれる波長帯範囲にあり血液中のヘモグロビンが吸収する７５０〜８５０ｎｍの波長範囲の光）を発生する半導体レーザ、発光ダイオード、固体レーザ、ガスレーザなどの発光素子等である。第１光源４２０ａ、第２光源４２０ｂにおいて発生した光は、例えば図４に示す光ファイバー４００ｃを介して、第１光照射部４００ａ、第２光照射部４００ｂに供給される。スライドによる光学系の変形は、柔軟性のある光ファイバー４００ｃにより影響が緩和される。第１光照射部４００ａ、第２光照射部４００ｂには、異なる駆動周波数が供給される。その結果、第１光照射部４００ａ、第２光照射部４００ｂからは、異なる駆動周波数でそれぞれ特定波長の光が照射されることになる。なお、本実施形態においては、第１光源４２０ａと第２光源４２０ｂとは、同一波長の光を発生するものとする。しかしながら、当該例に拘泥されず、後述するように、第１光源４２０ａと第２光源４２０ｂとが、互いに異なる波長の光を発生するようにしても良い。
【００４１】
複数の光検出部４０１は、例えば図４に示す光ファイバー４０１ｃの端部で構成された検出面を有し、当該検出面から光導波部を介して入力する被検体内からの反射光を光電変換する複数の検出素子からなる。スライドによる光学系の変形は、柔軟性のある光ファイバー４０１ｃにより影響が緩和される。検出素子としては、例えば、フォトダイオードやフォトトランジスタなどの受光素子のほか、ＣＣＤ、ＡＰＤ、光電子増倍管等を採用することができる。光照射部４００及び各光検出部４０１の被検体との接触面には、光整合層を設けるようにしてもよい。なお、図４の例では光ファイバー４０１ｃがむき出しの状態で記載されているが、検査者の利便性からスライドに伴うファイバー部の移動箇所全体をカバーで覆う事が望ましい。
【００４２】
スライド機構４０３ａは、例えば図３、図４に示すように、複数の光照射部４００及び複数の光検出部４０１を一体として、超音波プローブ１２の超音波送受信面の長手方向に沿って移動させる移動機構である。スライド機構４０３ａによる移動により、各光照射部４００及び各光検出部４０１は、超音波プローブ１２の超音波送受信面の長手方向に沿った複数の位置（すなわち、長手方向に沿った複数の照射位置及び複数の検出位置）について、検出光に関するデータを取得することができる。
【００４３】
スライド検出器４０３ｃは、複数の光照射部４００及び複数の光検出部４０１を一体として、超音波プローブ１２の超音波送受信面の長手方向に沿って移動させた場合において、光計測が行われた計測位置（すなわち、光計測における各光検出器４０１の位置又は各光照射部４００の位置）を、例えば初期位置を基準として検出する。検出された各計測位置は、光信号制御部４２２に出力される。
【００４４】
なお、スライド機構４０３ａ及びスライド検出器４０３ｃによる移動を伴う光計測は、ポテンショメーター等を使用して任意のスライド位置を検出し、複数の光照射部４００及び複数の光検出部４０１を超音波送受信面の長手方向に沿って、連続的に移動させながら任意の位置で行うことができる。しかしながら、多数回測定の位置精度を上げて常に一定変位にする方がデータ解析は容易になる。このため、スライド機構４０３ａは測定位置で仮固定できる機構を、スライド検出器４０３ｃは仮固定位置の検知器を、それぞれ具備することが好ましい。
【００４５】
複数の光照射部４００及び複数の光検出部４０１の被検体との接触面側には、図５（ａ）、（ｂ）に示すような、複数の光照射部４００及び複数の光検出部４０１を被覆する光測定用ソールが設けられている。光測定用ソールには、超音波プローブ１２の超音波送受信面を露出させるための窓部があり、当該窓部には、超音波プローブ１２が精度良く嵌る。また、超音波プローブ１２の超音波送受信面と光測定用ソールとの高さは、同一レベルとなるように調整されている。本実施形態に係る計測に用いる光は、近赤外線領域を使用することから、当該光測定用ソールは、可視カットフィルタ素材で構成されている。
【００４６】
光信号制御部４２２は、生体計測装置４を動的又は静的に制御する。例えば、光信号制御部４２２は、超音波診断装置１の制御プロセッサ３１の制御のもと、所定のタイミング、所定の周波数、強度、強度変動周期Ｔで第１光照射部４００ａ、第２光照射部４００ｂから光が照射されるように、第１光源４２０ａ、第２光源４２０ｂを制御する（特に本実施形態の場合、第１光源４２０ａ、第２光源４２０ｂで駆動周囲が異なる）。また、光信
号制御部４２２は、所定のタイミングで所定の駆動周期の光に対応する解析処理が実行されるように、光解析部４２４を制御する。
【００４７】
光解析部４２４は、マルチチャンネルロックインアンプを有し、周期ｆ１、ｆ２を選択して所定の信号のみを検出し増幅した後、デジタル信号に変換する。さらに、光解析部４２４は、光検出部４０１間での検出光の強度変化を解析する。
【００４８】
演算回路４２６は、光検出部４０１間での検出光の強度変化に基づいて、複数の光検出部４０１と被検体表面との密着度、被検体内において所定の光吸収係数を示す異常部位（例えば、特定波長を正常組織に比して多く吸収する部位）の被検体の表面からの深さ、所定の位置（例えば光照射部４００、超音波プローブ１２の超音波送受信面中心等）を基準とする異常部位の三次元的位置及び距離を計算する。演算回路４２６における計算結果は、計測位置毎に、支援情報生成ユニット４４に送り出される。
【００４９】
図６は、生体計測装置４の光学測定系の構成の一例を示した図である。同図に従って、生体計測装置４の光学測定系について、より詳細に説明する。第１光源４２０ａ及び第２光源４２０ｂは、例えば波長が765nm近傍のＬＥＤを採用する。二個のＬＥＤは、それぞれ別々の駆動周波数（ｆ１、ｆ２）で明滅駆動される。駆動周波数（ｆ１、ｆ２）は、後述のマルチチャンネルロックインアンプの位相検波用参照信号を使用する。第１光源４２０ａ及び第２光源４２０ｂが発生した光は、ＬＥＤから第１光照射部４００ａ、第２光照射部４００ｂに向けて光ファイバーで伝達される。第１光照射部４００ａ、第２光照射部４００ｂから生体に光が放たれ、各光検出部４０１に生体からの光が入り、光ファイバーを経由して、光電変換素子(フォトダイオード、アバランシェフォトダイオード、光トランジスタ等)で構成される８ｃｈ光検出モジュールに伝達される。駆動周波数ｆ１、ｆ２ごとの光信号は、光解析部４２４が有する１６ｃｈマルチチャンネルロックインアンプにおいて増幅され、１６ｃｈＡＤコンバータにおいてＡ／Ｄ変換され、その強度変化が解析される。これらの処理は、スライド機構４０３ａによる移動を伴う各計測位置において取得された光信号ついて実行される。
【００５０】
（スライド機構による移動を伴う生体光計測）
本実施形態に係る生体計測装置４は、スライド機構４０３ａにより複数の光照射部４００及び複数の光検出部４０１を超音波送受信面の長手方向に沿って移動させながら、生体光計測（すなわち、複数の光照射部４００による生体内への光照射、及び複数の光検出部４０１による生体内からの光検出の一連の動作）を実行する。従って、本光信号は、超音波送受信面の長手方向に沿った複数の計測位置において取得されることになる。この結果、異常部位の被検体の表面からの深さ等の計算に用いるデータ量を、計測位置の数だけ増加させることができる。加えてスライド計測時には可視カットフィルタ素材から構成されるソール部が一定な力で光計測部分の皮膚表面を印圧しているため、各測定時に検査部位の血液の授受が抑えられるため、測定誤差が小さい多数回測定ができる。
【００５１】
なお、各計測位置における光計測は、どのような手法であってもよい。本実施形態においては、一例として、粗検索モードと、微調整モードとのそれぞれに従う光計測を、スライド機構４０３ａにより複数の光照射部４００及び複数の光検出部４０１をスライドさせながら実行し、異常部位の被検体の表面からの深さ等の計算を実行する場合について説明する。ここで、粗検索モードとは、超音波プローブ１２による超音波走査断面が生体内の診断対象部位（異常部位と認めらえる部位或いは異常の疑いがある部位）を含むように、生体表面上でプローブＰの位置調整を行う場合において、上記異常部位を大まかに検索するためのモードである。また、微調整モードとは、生体表面上で超音波プローブ１２の位置調整を行う場合において、上記異常部位を高精度で検索するためのモードである。
【００５２】
図７（ａ）に示すように、粗検索モードにおいては、第１照射部４００ａと複数の光検出部４０１ａとがペアリングされ、第２照射部４００ｂと光検出部４０１ｂとがペアリングされる（すなわち、超音波プローブ１２の同一側に配置された光入射部と検出部とがペアリングされる）。
【００５３】
ペアリング後、第１照射部４００ａと複数の光検出部４０１ａとによって検索される領域（第１検索域）と、第２照射部４００ｂと複数の光検出部４０１ｂとによって検索される領域（第２検索域）とによって、スライド機構４０３ａによるスライドを伴いながら、複数の計測位置において生体光計測が実施される。このとき、例えば、診断対象部位に対応する特定の周波数帯域の信号につき、第１検索域よりも第２の検索域から強く検出される場合には、当該診断部位は、超音波プローブ１２の中心（長軸）よりも第２の検索域側に存在することがわかる。或いはその逆として、同じ特定の周波数帯域の信号につき、第２検索域よりも第１の検索域から強く検出される場合には、当該診断部位は、超音波プローブ１２の中心（長軸）よりも第１の検索域側に存在することがわかる。当該粗検索モードでは、超音波プローブ１２の超音波照射面両側において、異常部位を検索するための領域を比較的広く取ることができる。この特長から、診断対象部位を超音波プローブ近傍まで誘導するのに適したモードと言える。
【００５４】
一方、微調整モードは、例えば粗検索モードを経て大まかな位置調整がなされた後に実行される。当該微調整モードでは、図７（ｂ）に示すように、第１照射部４００ａと複数の光検出部４０１ｂとがペアリングされ、第２照射部４００ｂと複数の光検出部４０１ａとがペアリングされる（すなわち、超音波プローブ１２を挟んで配置された光入射部と検出部とがペアリングされる）。
【００５５】
ペアリング後、第１照射部４００ａと複数の光検出部４０１ｂとによって検索される領域（第１検索域）と、第２照射部４００ｂと複数の光検出部４０１ａとによって検索される領域（第２検索域）とによって、スライド機構４０３ａによるスライドを伴いながら、複数の計測位置において生体光計測が実施される。このとき、例えば、診断対象部位に対応する特定の周波数帯域の信号につき、第１検索域からの強度と第２の検索域からの強度とを比較することで、診断対象部位の位置をプローブＰの中心近傍に絞り込むことができる。当該微調整モードでは、超音波プローブ１２の超音波照射面を含むように、異常部位を検索するための領域が設定される。この特長から、診断対象部位を超音波走査面内に正確に導くための微調整に適したモードと言える。
【００５６】
光解析部４２４は、各計測位置における光検出部４０１間での検出光の強度変化を解析する。演算回路４２６は、計測位置毎に、光解析部４２４の解析結果（光検出部４０１間での検出光の強度変化）に基づいて、被検体内において所定の光吸収係数を示す異常部位の被検体の表面からの深さ、三次元的位置及び距離を計算する。
【００５７】
超音波画像診断において超音波プローブ１２の位置誘導を行う場合、粗検索モード、微調整モードのそれぞれにおいて、各計測位置に対応する光信号は、光解析部４２４、第１演算回路４２６ａ、第２演算回路４２６ｂにおいて所定の処理を受けた後、診断対象部位の位置に関する情報として支援情報生成ユニット４４に送られる。支援情報生成ユニット４４は、受け取った診断対象部位の位置に関する情報に基づいて、被検体及び診断対象部位に対しプローブＰの位置、向き、姿勢、加圧度等をより好適に誘導するための支援情報を生成し出力する。出力された支援情報は、例えばモニタ１４において所定の形態で表示される。
【００５８】
なお、粗検索モードと微調整モードとの間の切り替えは、例えば入力装置１３からの操作によって実行される。しかしながら当該例に拘泥されず、例えば、診断対象部位と超音波送受信面との距離と所定の閾値とを比較することにより、装置が粗検索モード又は微調整モードを自動的に選択するようにしてもよい。
【００５９】
（変形例１）
図８、図９は、本実施形態のプローブＰの変形例１を説明するための図である。図８、図９と図３、図４とを比較した場合、図８、図９の例では、超音波送受信面の長手方向両側に沿った各配列において、複数の光検出部４０１を光照射部４００に対し非対称に配置（すなわち、片方の配列におおいて、光照射部４００の一方の側に３つの光検出部４０１が、他方の側に１つの光検出部４０１が、それぞれ配置）されている。このように、光検出器４０１を光照射部４００に対して非対称に配置することで、入射・検出距離を大きく取ることができ、被検体の深い位置にある異常部位等を検出しやすくすることができる。
【００６０】
図１０（ａ）、（ｂ）、（ｃ）は、図８、図９に例示したプローブＰのスライド機構４０３ａによるスライド動作を説明する図である。図３、図４の例と同様に、ポテンショメーター等を使用して任意のスライド位置を検出する機構も可能である。しなしながら、多数回測定の位置精度を上げて常に一定変位にする方がデータ解析は容易になるため、スライド機構４０３ａは測定位置で仮固定できる機構を、スライド検出器４０３ｃは仮固定位置の検知器を、それぞれ具備することが好ましい。
【００６１】
なお、図８、図９、図１０の例示では、光学系のスライド方向は、光検出器４０１の数の少ない側に移動させるものとした。しかしながら、当該例に拘泥されず、光検出器４０１の数の多い側に移動させる構成としてもよい。
【００６２】
（変形例２）
図１１は、生体検査装置４の光学測定系の変形例２を示した図である。図６に示した光学測定系との差異は、第１光照射部４００ａに波長λ１, λ２，λ３（同図の例では、λ１＝７６５ｎｍ、λ２＝８０９ｎｍ、λ３＝８５５ｎｍ）の３光源４２０ａ１，４２０ａ２，４２０ａ３から光が導かれる構成であること、第２光照射部４００ｂに波長λ１, λ２，λ３（同図の例では、λ１＝７６５ｎｍ、λ２＝８０９ｎｍ、λ３＝８５５ｎｍ）の３光源４２０ｂ１，４２０ｂ２，４２０ｂ３から光が導かれる構成であること、光源４２０ａ１は周波数ｆ１で、光源４２０ａ２及び４２０ａ３は周波数ｆ３で、光源４２０ｂ１は周波数ｆ２で、光源４２０ｂ２及び４２０ｂ３は周波数ｆ４で、それぞれ駆動されること、各光源の駆動信号は図４と同様にマルチチャンネルロックインアンプから供給されるが、それが４周波であること、マルチチャンネルロックインアンプが８ｃｈ×４の構成で図６の４倍規模であり、３２ｃｈの信号を１６ｃｈに絞るアナログ除算器が設けられている点である。
【００６３】
（変形例３）
図１２は、生体検査装置４の光学測定系の変形例３を示した図である。図１１に示した光学測定系との差異は、マルチチャンネルロックインアンプが８ｃｈ×４の前段に８ｃｈローパスフィルタアンプが設けられていること、アナログ除算器をシステムから分離し、除算器の代わりに３２ｃｈの信号をＡＤＣでデジタル信号に変換した上で計算処理で規格化したこと、接近情報等の支援情報を音声で、超音波画像と光計測結果の２系統同時表示する出力ユニットが設けられている点である。
【００６４】
（変形例４）
上述したプローブＰは、光入射部４００と光検出部４０１とを一体としてスライドさせる構成を例示した。しかしながら、当該構成に拘泥されず、例えば、光入射部４００と光検出部４０１のどちらか一方を固定とし、他方をスライドさせるようにしても良い。すなわち、異常部位（或いは超音波送受信面）と、光入射部４００と、光検出部４０１との間で位置関係（或いは幾何学的関係）を変更させ、異なる位置関係毎に計測データを得ることができれば、原理的には計測データ量を増加させることができる。
【００６５】
しかしながら、当該構成は、光入射部４００と光検出部４０１とを一体としてスライドさせる構成に比して、検出した光強度の測定誤差が大きくなる原因となるため、注意を必要とする。
【００６６】
図１３に、プローブの位置精度と光強度の誤差測定方法の一例を示す。検出距離（Ｘ方向）のずれ：−５０μｍ、０μｍ、＋５０μｍ、Ｙ方向のずれ：０μｍ、＋５０μｍ、＋１００μｍ、接触状態（Ｚ方向）のずれ：０μｍ、＋１００μｍ、＋２００μｍ、角度のずれ：入射角度（ＸＺ面内）のずれ：−２°、０°°、２°、検出角度（ＸＺ面内）のずれ：−２°、０°°、２°で検出光強度の変動分を誤差として評価した。
【００６７】
図１４、図１５に図１３の試験結果を抜粋する。距離のずれと角度のずれは計測データを大きく変動させるが、接触状態のずれは比較的変動が小さいことが判る。すなわち光学系のスライドにおいては、入射・検出距離の誤差要因は避けるべきであり、入射部と検出部が一体化した構成がより好適であるといえる。
【００６８】
図１６、図１７は、光照射部４００ｄを固定とし、光検出部４０１だけをスライドさせるスライド機構４０３ａを具備したプローブＰの一例である。図３、図４の例と比較して、光検出部４０１のみが一体化され、超音波プローブ１２の超音波送受信面の長辺方向にスライド可能な構成となっている。一方、光入射部４００ｄは、超音波送受信面の短辺近傍に固定されている。この構成では先に説明したように測定誤差が大きくなる半面、光強度解析に使う解析空間の幅を狭くできる特長がある。また、スライドした距離に応じてアナログ増幅器のゲインを自動的に調整できるように組むことで、一連の測定のダイナミックレンジを広げることもできるメリットも有する。
【００６９】
以上述べた本超音波診断装置或いは生体計測装置の構成によれば、以下の効果を実現することができる。すなわち、スライド機構により複数の光照射部及び複数の光検出部の少なくとも一方を超音波送受信面の長手方向に沿って移動させながら、複数の計測位置において生体光計測を実行する。従って、本光信号は、超音波送受信面の長手方向に沿った複数の計測位置において取得されることになる。この結果、異常部位の被検体の表面からの深さ等の計算に用いるデータ量を、計測位置の数だけ増加させることができ、従来に比して、測定情報の解析精度を保証することができるようになる。
【００７０】
また、複数の光照射部及び複数の光検出部を、手動ではなく、スライド機構によって移動させる。このため、計測時における皮膚への圧迫を一定に抑制しつつ、移動距離及び計測位置を精度よく検知することができる。その結果、診断対象部位の位置を判定するための異なる位置毎の複数回の光計測を、簡単かつ正確に実行することができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
【００７２】
これら実施形態やその変形は、発明の範囲や要旨に含まれるとともに、特許請求の範囲に記載された発明とその均等の範囲に含まれるものである。
【符号の説明】
【００７３】
１…超音波診断装置、１１…装置本体、１２…超音波プローブ、１３…入力装置、１４…モニタ、２１…超音波送信ユニット、２２…超音波受信ユニット、２３…Ｂモード処理ユニット、２４…ドプラ処理ユニット、２５…ＲＡＷデータメモリ、２６…ボリュームデータ生成ユニット、２８…画像処理ユニット、３０…表示処理ユニット、３１…制御プロセッサ（ＣＰＵ）、３２…記憶ユニット、３３…インターフェースユニット、４０…光プローブ、４２…光計測処理ユニット、４４…支援情報生成ユニット、４００ａ、４００ｂ…光照射部、４００ｃ、４０１ｃ…光ファイバー、４０１ａ、４０１ｂ…光検出部、４０３ａ、４０３ｂ…スライド機構、４０３ｃ…スライド検出器、４２０ａ…第１光源、４２０ｂ…第２光源、４２２…光信号制御部、４２４…光解析部、４２６ａ…第１演算回路、４２６ｂ…第２演算回路
【図１】
0006486733.tif 000002
【図２】
0006486733.tif 000003
【図３】
0006486733.tif 000004
【図４】
0006486733.tif 000005
【図５】
0006486733.tif 000006
【図６】
0006486733.tif 000007
【図７】
0006486733.tif 000008
【図８】
0006486733.tif 000009
【図９】
0006486733.tif 000010
【図１０】
0006486733.tif 000011
【図１１】
0006486733.tif 000012
【図１２】
0006486733.tif 000013
【図１３】
0006486733.tif 000014
【図１４】
0006486733.tif 000015
【図１５】
0006486733.tif 000016
【図１６】
0006486733.tif 000017
【図１７】
0006486733.tif 000018
【図１８】
0006486733.tif 000019